(57)【要約】      （修正有）【課題】汚れ物が押し棒とラチェットギヤとの間の隙間に侵入することを防ぐ防塵構造を備えるラチェットレンチを提供する。【解決手段】駆動装置２０と、押し棒３０と、防塵リング４０と、を備える。駆動装置に両側を貫通する収容穴２１３を設け、収容穴に駆動具を内設することによって、駆動装置の一端はソケット状の工具ヘッド部２１を駆動でき、駆動装置の他端は使用者の把持操作に用いられる。収容穴の内部にはフランジ２１４が形成され、押し棒は収容穴を貫いて駆動具の内部に挿入していて、工具ヘッド部の装着と解放状態を制御する。防塵リングがフランジと、押し棒との間に設けられ、外面４１と裏面４２とを含み、外面を当接面にあてがい、裏面は押し棒に隣設され、裏面にてフラップ４３を凸設し、フラップはフラップ裏面と、フラップ外面とを有し、フラップ外面を押し棒にあてがい、フラップ裏面はフラップ外面の反対側に設けられている。【選択図】図２
0003185713.tif 000002
【実用新案登録請求の範囲】
【請求項１】
防塵構造を備えるラチェットレンチであって、
第１側と、第２側とを含む駆動装置であって、該駆動装置は前記第１側から前記第２側の方向に向かって収容穴を設けられ、前記第１側は前記収容穴において駆動具を設けられ、前記駆動装置の一端はソケット状の工具ヘッド部を駆動でき、前記駆動装置の他端は使用者の把持に提供し、前記収容穴の内部において前記第２側にフランジを形成され、前記フランジは駆動具のあてがいに用いられ、前記フランジの内側に当接面を形成され、前記駆動装置は押し棒を有し、前記押し棒は前記第２側より前記収容穴を貫いて前記駆動具に挿入され、前記押し棒は前記工具ヘッド部の前記駆動装置に対する装着と解放状態とを制御でき、前記押し棒は軸方向に沿って前記駆動具に対して滑り移動できる駆動装置と、
前記フランジと前記押し棒との間設けられる防塵リングであって、前記防塵リングは外側と内側とを含み、前記外側は前記当接面にあてがい、前記内側は前記押し棒にあてがう防塵リングと、を含む、防塵構造を備えるラチェットレンチ。
【請求項２】
前記外側に外面を形成し、前記外面を前記当接面にあてがい、前記内側に裏面を形成し、前記裏面は前記押し棒に隣設され、前記裏面にフラップを有し、前記フラップにフラップ裏面とフラップ外面とを有し、前記フラップ外面を前記押し棒にあてがい、前記フラップ裏面は前記フラップ外面の反対側に位置することを特徴とする、請求項１記載の防塵構造を備えるラチェットレンチ。
【請求項３】
前記フラップは前記裏面から前記第２側の方向に凸設し、前記防塵リングは前記フラップ裏面の内側に収容空間を形成し、前記収容空間において前記防塵リングによって引き留められた汚れ物を収容できることを特徴とする、請求項２記載の防塵構造を備えるラチェットレンチ。
【請求項４】
前記防塵リングに外部リング体と内部リング体とを含み、前記外部リング体の内側に逃げ溝を形成され、前記逃げ溝において内部リング体を収容でき、前記外面は前記外部リング体の外側に位置し、前記裏面は前記外部リング体及び前記内部リング体の内側に位置し、前記フラップは前記内部リング体の裏面に位置し、前記防塵リングは前記フラップ裏面の前記内側に収容空間を形成し、前記収容空間は前記外部リング体と前記内部リング体との間に位置し、前記防塵リングは長方形断面のリング状を形成し、前記外部リング体と前記内部リング体は長方形断面のリング状を形成し、前記逃げ溝は長方形断面の切欠きリング状を形成することを特徴とする、請求項２記載の防塵構造を備えるラチェットレンチ。
【請求項５】
前記当接面に第１直径を形成し、前記押し棒は前記駆動具の反対端に第２直径を形成し、前記防塵リングが自然状態において、前記外面に第３直径を形成し、前記裏面に第４直径を形成し、前記フラップは前記フラップ裏面と前記フラップ外面との間に末端部を有し、前記末端部に第５直径を有し、前記第３直径は前記第１直径より大きく、前記第４直径は前記第２直径より大きく、前記第５直径は前記第２直径より大きいことを特徴とする、請求項２記載の防塵構造を備えるラチェットレンチ。
【請求項６】
前記防塵リングに当接部を凸設して、該当接部が前記フランジにあてがうことによって、前記防塵リングが前記第２側の方向から前記駆動装置を脱けだすことはできず、前記外面に第３直径を形成し、前記当接部に第６直径を形成し、前記第６直径は前記第３直径より大きいことを特徴とする、請求項１記載の防塵構造を備えるラチェットレンチ。
【請求項７】
前記駆動装置は前記工具ヘッド部を駆動する端にヘッド部を設けられ、前記ヘッド部は前記第２側に丸穴状の制限溝を形成し、前記ヘッド部は前記収容穴と前記制限溝とを連通するラチェット溝を開けられ、前記ラチェット溝は三日月状を形成し、前記制御溝の内部に制御具を取り付け、前記ラチェット溝の内部にラチェット具を取り付け、前記制御具と前記ラチェット具との間に弾性具及び支え具を取り付け、前記制御具は前記弾性具及び前記支え具を介して、前記ラチェット具と前記駆動具との選択的な組合せ状態を制御し、前記ヘッド部が時計方向または逆時計方向に前記駆動具を選択的に連動できることを特徴とする、請求項１記載の防塵構造を備えるラチェットレンチ。
【考案の詳細な説明】
【技術分野】
【０００１】
本案は防塵構造を備えるラチェットレンチに関し、特に駆動装置のヘッド部と押し棒との間に防塵リングを設けて、防塵効果を達成する防塵構造を備えるラチェットレンチに関する。
【背景技術】
【０００２】
米国特許ＵＳ７３１１０１９号（特許文献１）ＲＡＴＣＨＥＴ  ＷＲＥＮＣＨはラチェットレンチであって、ヘッド部（ｈｅａｄ  １４）とハンドル（ｈａｎｄｌｅ  １２）と、を備え、前記ヘッド部は第１表面と第２表面とを有し、状ヘッド部に前記第１表面と前記第２表面とを貫く収容穴を設け、前記収容穴にラチェットギヤ（ｒａｔｃｈｅｔ  ｇｅａｒ  １８）を設け、前記ヘッド部の前記第１表面に蓋板（ｃｏｖｅｒ  ｓｈｉｅｌｄ  ５０）を設け、前記第２表面にフランジを設けることにより、前記ラチェットギヤを前記ヘッド部より脱けだせず、前記ラチェットギヤに溝穴を開けていて押し棒を設けられ、前記押し棒によって、工具ヘッド部を前記ラチェットギヤでの装着と解放状態を制御でき、前記ヘッド部と前記ラチェットギヤとの間は前記第１表面と前記第２表面ともＯリング（Ｏ−ｒｉｎｇ  ５６）を設けて、外部の汚物が前記ヘッド部と前記ラチェットギヤとの間に侵入することを防げることが開示されている。
【先行技術文献】
【特許文献】
【０００３】
【特許文献１】米国特許ＵＳ７３１１０１９号
【考案の概要】
【考案が解決しようとする課題】
【０００４】
しかし、公知構造のラチェットレンチを適用して作業するときに、汚れ物が押し棒とラチェットギヤとの間の隙間に侵入することによって、押し棒とラチェットギヤとの滑り移動を妨げられ、ラチェットレンチに大量な汚れ物を堆積したあとは、押し棒とラチェットギヤとの滑り移動ができなくなり、押し棒は工具ヘッド部をラチェットギヤに装置されたときの装着と解放の制御機能を失ってしまい、レンチも使用不能になり、廃棄処分せざるを得ない。
【課題を解決するための手段】
【０００５】
本案の主な目的は、防塵リングを駆動装置と押し棒とを間に取り付けることによって、汚れ物が駆動装置のヘッド部と駆動具との間の隙間に侵入することを防ぎ、駆動装置の円滑な稼働を維持できると共に、汚れ物を押し棒と駆動具との間の隙間に侵入を防ぎ、使用者は常に工具ヘッド部を容易に駆動具に装着または取り外すことができる防塵構造を備えるラチェットレンチを提供する。
【０００６】
本案つぎの目的は、弾性部材より仕上げる防塵リングを提供し、防塵リングが外部環境によって一定範囲の変形を引き起こして、防塵リングをヘッド部の当接面に圧迫と共に、防塵リングのフラップを押し棒に圧迫させるときに、フラップが変形を引き起こして、フラップ裏面に屈折して、フラップ外面を押し棒にあてがい、防塵リングの防塵効果を向上し、汚れ物が押し棒または押し棒と裏面との間の隙間に付着して、本案の防塵構造を備えるラチェットレンチに侵入するときに、フラップはフラップ裏面によって、押し棒に付着された汚れ物を掻き落として、レンチの内部に侵入を防止できる防塵構造を備えるラチェットレンチを提供する。
【考案の効果】
【０００７】
以下の説明内容から、本案は以下の長所をまとめることができる。
【０００８】
イ、本案の防塵構造を備えるラチェットレンチにおいて、防塵リングを駆動装置と、押し棒との間に取り付けることは、汚れ物が駆動装置内部のヘッド部と、駆動具との間の隙間に侵入を防いで、駆動装置が順調に稼働できると共に、汚れ物が押し棒と駆動具との間の隙間に侵入できなくなり、使用者が容易に工具ヘッドを駆動具に取付けるかまたは工具ヘッドを駆動具より取り外すことができる。
【０００９】
ロ、本案の防塵構造を備えるラチェットレンチにおいて、防塵リングは弾性部材より仕上げられ、防塵リングは外部環境によって一定範囲の変形を引き起こして、防塵リングをヘッド部の当接面に圧迫と共に、防塵リングのフラップを押し棒に圧迫させるときに、フラップが変形を引き起こして、フラップ裏面に屈折して、フラップ外面を押し棒にあてがい、防塵リングの防塵効果を向上し、汚れ物が押し棒または押し棒と内面との間の隙間に付着して、本案の防塵構造を備えるラチェットレンチに侵入するとき、フラップはフラップ裏面によって、押し棒に付着された汚れ物を掻き落として、汚れ物が本案の防塵構造を備えるラチェットレンチに侵入することを防げる。
【００１０】
ハ、本案の防塵構造を備えるラチェットレンチにおいて、防塵リングがフラップ裏面の内側に収容空間を形成され、収容空間は外部リング体と、内部リング体との間に位置し、汚れ物はフラップのフラップ裏面から収容空間に進入し、収容空間によって、防塵リングによって引き止められた汚れ物を収容できる。
【図面の簡単な説明】
【００１１】
【図１】本案の防塵構造を備えるラチェットレンチ第１実施例の斜視図である。
【図２】本案の防塵構造を備えるラチェットレンチ第１実施例の分解斜視図である。
【図３】本案の防塵構造を備えるラチェットレンチ第１実施例の断面構造図である。
【図４】本案の防塵構造を備えるラチェットレンチ第１実施例の防塵リングの断面図である。
【図５】本案の防塵構造を備えるラチェットレンチの図３の局所拡大図である。
【図６】本案の防塵構造を備えるラチェットレンチ第２実施例の分解斜視図である。
【図７】本案の防塵構造を備えるラチェットレンチ第２実施例の断面構造図である。
【図８】本案の防塵構造を備えるラチェットレンチ第２実施例の防塵リングの断面図である。
【図９】本案の防塵構造を備えるラチェットレンチ第２実施例の防塵リングの組立図である。
【図１０】本案の防塵構造を備えるラチェットレンチの図８の局所拡大図である。
【考案を実施するための形態】
【実施例】
【００１２】
図１ないし３、本考案の防塵構造を備えるラチェットレンチの第１実施例に係る斜視図と、分解斜視図と、断面図とを参照する。本案の防塵構造を備えるラチェットレンチ１０は駆動装置２０と、押し棒３０と、防塵リング４０と、を備える。
【００１３】
そのうち、駆動装置２０の一端にヘッド部２１を設けられ、ヘッド部２１は第１側２１１と、第２側２１２とを含み、駆動装置２０のヘッド部２１は第１側２１１から第２側２１２の方向に向かって収容穴２１３を設け、収容穴２１３は丸穴状を形成し、ヘッド部２１の第１側２１１にて収容穴２１３に駆動具２２を内設し、駆動装置２０のヘッド部２１の一端はソケット状の工具ヘッド部を駆動でき、駆動装置２０はヘッド部２１の反対端が使用者の把持に提供でき、収容穴２１３の内部は第２側２１２にフランジ２１４を設け、フランジ２１４は駆動具２２のあてがいに提供できる。
【００１４】
ヘッド部２１は第２側２１２に丸穴状の制御溝２１５設けられ、ヘッド部２１に収容穴２１３と、制御溝２１５に連絡するラチェット溝２１６を開けられ、ラチェット溝２１６は三日月状を形成し、制御溝２１５の内部に制御具２３１を取付け、ラチェット溝２１６の内部にラチェット具２３２を取付け、制御具２３１と、ラチェット具２３２との間に少なくとも一つの弾性具２３３と、少なくとも一つの支え具２３４とを取り付けており、制御具２３１が弾性具２３３と、支え具２３４とを介してラチェット具２３２が駆動具２２での噛み合わせ方式を制御し、ヘッド部２１を選択により、時計方向または逆時計方向に駆動具２２を駆動でき、本実施例において、少なくとも一つの弾性具２３３は２つを設けられ、本実施例において、少なくとも一つの支え具２３４は２つを有し、制御具２３１は２つの弾性具２３３と、２つの支え具２３４とを介して、ラチェット具２３２が駆動具２２の噛み合わせ方式を制御することによって、ヘッド部２１を時計方向または逆時計方向に駆動具２２を駆動できる。
【００１５】
駆動装置２０はヘッド部２１と、駆動具２２との間に制限リング２４を設けられ、制限リング２４は収容穴２１３内部に第１側２１１の隣接側に位置し、制限リング２４はヘッド部２１と、駆動具２２とを同時にあてがうことによって、駆動具２２を収容穴２１３の第１側２１１から駆動装置２０のヘッド部２１を脱けだせない。
【００１６】
押し棒３０は収容穴２１３を貫いて駆動装置２２の内部に挿入し、押し棒３０は工具ヘッド部が駆動装置２０での装着と解放状態を制御でき、押し棒３０は丸棒状を形成して、軸方向に沿って、駆動具２２に対して滑り移動でき、フランジ２１４の内側にて当接面２１７を形成し、防塵リング４０はヘッド部２１のフランジ２１４と、押し棒３０との間に取り付けられ、防塵リング４０を当接面２１７および押し棒３０にあてがうことによって、粉塵、砂その他異物は第２側２１２に隣接された収容穴２１３からヘッド部２１の内部に侵入できず、駆動装置２０が悪環境に置かれても、スムーズに稼働できる。
【００１７】
押し棒３０と、駆動具２２との間に押さえばね３１を有し、押さえばね３１を押し棒３０に装着し、押し棒３０は第１側２１１の隣接端に支えボール３２を設けられ、支えボール３２は押し棒３０と、駆動具２２との間に位置し、使用者は押し棒３０を押圧して、支えボール３２が選択により、駆動具２２より突き出して、工具ヘッド部を駆動具２２に取付けときの装着と解放状態を制御でき、押さえばね３１によって、押し棒３０の自動復帰機能を提供し、押し棒３０によって、駆動具２２を自動に固定状態を維持できる。
【実施例１】
【００１８】
引き続き図４、本案の防塵構造を備えるラチェットレンチ第１実施例の防塵リングの断面図を参照する。当接面２１７に第１直径Ｄ１を形成し、押し棒３０は駆動具２２の反対端に第２直径Ｄ２を形成する。防塵リング４０が自然状態において、防塵リング４０は長方形断面のリング状を形成し、防塵リング４０は外側４０１と、内側４０２とを含み、外側４０１を当接面２１７にあてがい、内側４０２は押し棒３０にあてがい、防塵リング４０の外側４０１に当接面２１７に当てがう外面４１を有し、外面４１に第３直径Ｄ３を形成し、防塵リング４０の内側４０２は押し棒３０に隣接する裏面４２を有し、裏面４２に第４直径Ｄ４を形成し、裏面４２にフラップ４３を凸設し、フラップ４３は裏面４２から第２側２１２の方向に突出し、フラップ４３を押し棒３０にあてがい、フラップ４３はフラップ裏面４３１と、フラップ外面４３２と、末端部４３３とを有し、フラップ外面４３２を押し棒３０にあてがい、フラップ裏面４３１はフラップ外面４３２の反対側に位置し、末端部４３３に第５直径Ｄ５を有する。
【００１９】
第３直径Ｄ３を第１直径Ｄ１より大きく設けることにより、防塵リング４０をヘッド部２１の当接面２１７に圧迫され、第４直径Ｄ４を第２直径Ｄ２大きく設けることにより、押し棒３０が駆動具２２にてスムーズに滑り移動でき、第５直径Ｄ５を第２直径Ｄ２大きく設けることにより、防塵リング４０のフラップ４３を押し棒３０７に圧迫され、粉塵や砂は押し棒３０と、防塵リング４０との間から駆動装置２０の内部に侵入することはできない。防塵リング４０に当接部４４を凸設し、当接部４４に第６直径Ｄ６を形成し、第６直径Ｄ６を第３直径Ｄ３より大きく設けることにより、当接部４４をフランジ２１４にあてがい、防塵リング４０を第２側２１２の方向からヘッド部２１を脱けだすことはできない。
【００２０】
引き続き図５、本案の防塵構造を備えるラチェットレンチの防塵リングの局所拡大図を参照する。防塵リング４０は弾性部材から仕上げられ、防塵リング４０をヘッド部２１の当接面２１７に圧迫させるほか、防塵リング４０のフラップ４３を押し棒３０に圧迫するとき、フラップ４３が変形を引き起こし、フラップ４３がフラップ裏面４３１の方向に屈折することによって、フラップ外面４３２を押し棒３０にあてがい、防塵リング４０の防塵効果を向上させる。汚れ物が押し棒３０に付着しようとするとき、または押し棒３０と裏面４２との間の隙間より本案の防塵構造を備えるラチェットレンチ１０に侵入するときに、フラップ４３のフラップ裏面４３１によって、押し棒３０に付着していた汚れ物を掻き落とすと共に、汚れ物が本案の防塵構造を備えるラチェットレンチ１０の内部への侵入を阻止しておき、防塵リング４０を駆動装置２０と押し棒３０との間に設けることによって、汚れ物が駆動装置２０内部のヘッド部２１と、駆動具２２との間の隙間に侵入を防ぎ、駆動装置２０の稼働が順調に行えるほか、汚れ物が押し棒３０と駆動具２２との間の隙間に侵入できない。使用者が容易に工具ヘッドを駆動具２２に取付けるまたは工具ヘッドを駆動具２２から取り出せる。
【実施例２】
【００２１】
図６ないし９、本案の防塵構造を備えるラチェットレンチ第２実施例に係る分解斜視図と、断面図と、防塵リングの断面図と、防塵リングの組立図と、を参照する。第２実施例と第１実施例と異なる点は、第２実施例において、防塵リング４０ａが２点式の設計になっていて、防塵リング４０ａは外側４０１ａと、内側４０２ａとを有し、外側４０１ａを当接面２１７にあてがい、内側４０２ａを押し棒３０にあてがい、防塵リング４０ａは外側４０１ａに隣接する外部リング体４０３ａと、内側４０２ａに隣接する内部リング体４０４ａとを有し、外部リング体４０３ａと、内部リング体４０４ａが長方形断面のリング状を形成し、外部リング体４０３ａは内側に逃げ溝４０５ａを形成し、逃げ溝４０５ａは長方形断面の切欠きリング状を形成し、逃げ溝４０５ａにて内部リング体４０４ａを収容でき、防塵リング４０ａが自然状態において、防塵リング４０ａの外側４０１ａに備える外部リング体４０３ａは、当接面２１７にあてがう外面４１ａを有し、外面４１ａに第３直径Ｄ３を形成し、防塵リング４０ａの外部リング体４０３ａと、内部リング体４０４ａは内側４０２ａにて押し棒３０に隣接する裏面４２ａを共有し、裏面４２ａに第４直径Ｄ４を形成し、内部リング体４０４ａにフラップ４３ａを凸設し、フラップ４３ａは裏面４２ａから第２側２１２の方向に突き出し、フラップ４３ａにてフラップ裏面４３１ａと、フラップ外面４３２ａと、末端部４３３ａとを設けられ、フラップ外面４３２ａを押し棒３０にあてがい、フラップ裏面４３１ａはフラップ外面４３２ａの反対側に位置し、末端部４３３ａに第５直径Ｄ５を有する。
【００２２】
第３直径Ｄ３を第１直径Ｄ１より大きく設けることにより、防塵リング４０をヘッド部２１の当接面２１７に圧迫され、第４直径Ｄ４を第２直径Ｄ２大きく設けることにより、押し棒３０は駆動具２２にてスムーズに滑り移動でき、第５直径Ｄ５を第２直径Ｄ２大きく設けることにより、防塵リング４０のフラップ４３を押し棒３０７に圧迫され、粉塵や砂は押し棒３０と、防塵リング４０との間から駆動装置２０の内部に侵入することはできない。防塵リング４０に当接部４４を凸設し、当接部４４に第６直径Ｄ６を形成し、第６直径Ｄ６を第３直径Ｄ３より大きく設けることにより、当接部４４をフランジ２１４にあてがい、防塵リング４０を第２側２１２の方向からヘッド部２１を脱けだすことはできない。
【００２３】
引き続き図１０、本案の防塵構造を備えるラチェットレンチ第２実施例の防塵リングの局所拡大図を参照する。防塵リング４０ａは弾性部材から仕上げられ、防塵リング４０ａをヘッド部２１の当接面２１７にあてがわせるほか、防塵リング４０ａのフラップ４３ａを押し棒３０に圧迫されたときに、フラップ４３ａフラップが変形を引き起こし、フラップ４３ａがフラップ裏面４３１ａの方向に屈折することによって、フラップ外面４３２ａが押し棒３０にあてがい、防塵リング４０ａの防塵効果を向上させる。汚れ物が押し棒３０に付着しようとするとき、または押し棒３０と裏面４２ａとの間の隙間より本案の防塵構造を備えるラチェットレンチ１０に侵入するときは、フラップ４３ａのフラップ裏面４３１ａによって、押し棒３０に付着していた汚れ物を掻き落とすと共に、本案の防塵構造を備えるラチェットレンチ１０の内部への侵入を阻止しておき、汚れ物がフラップ４３ａのフラップ裏面４３１ａより収容空間４５ａに進入される。防塵リング４０ａを駆動装置２０と押し棒３０との間に設けることによって、汚れ物が駆動装置２０内部のヘッド部２１と、駆動具２２との間の隙間に侵入を防いで駆動装置２０の稼働が順調に行えるほか、汚れ物が押し棒３０と駆動具２２との間の隙間に侵入できない。使用者が容易に工具ヘッドを駆動具２２に取付けるまたは工具ヘッドを駆動具２２から取り出せる。
【符号の説明】
【００２４】
１０      防塵構造を備えるラチェットレンチ
２０      駆動装置
２１      ヘッド部
２１１    第１側
２１２    第２側
２１３    収容穴
２１４    フランジ
２１５    制御溝
２１６    ラチェット溝
２１７    当接面
２２      駆動棒
２３１    制御装置
２３２    ラチェット部材
２３３    弾性具
２３４    支え具
２４      制限リング
３０      押し棒
３１      押さえばね
３２      支えボール
４０      防塵リング
４０１    外側
４０２    内側
４１      外面
４２      裏面
４３      フラップ
４３１    フラップ裏面
４３２    フラップ外面
４３３    末端部
４４      当接部
４０ａ    防塵リング
４０１ａ  外側
４０２ａ  内側
４０３ａ  外部リング体
４０４ａ  内部リング体
４０５ａ  逃げ溝
４１ａ    外面
４２ａ    裏面
４３ａ    フラップ
４３１ａ  フラップ裏面
４３２ａ  フラップ外面
４３３ａ  末端部
４４ａ    当接部
４５ａ    収容空間
Ｄ１      第１直径
Ｄ２      第２直径
Ｄ３      第３直径
Ｄ４      第４直径
Ｄ５      第５直径
Ｄ６      第６直径
【図１】
0003185713.tif 000003
【図２】
0003185713.tif 000004
【図３】
0003185713.tif 000005
【図４】
0003185713.tif 000006
【図５】
0003185713.tif 000007
【図６】
0003185713.tif 000008
【図７】
0003185713.tif 000009
【図８】
0003185713.tif 000010
【図９】
0003185713.tif 000011
【図１０】
0003185713.tif 000012